【手続補正書】
【提出日】令和3年4月27日(2021.4.27)
【手続補正１】
【補正対象書類名】明細書
【補正対象項目名】０００９
【補正方法】変更
【補正の内容】
【０００９】
【図１】[0005]３ＤＩＯイメージングシステムのいくつかの実施形態を示す図である。
【図２】[0006]シミュレートされた虫歯と周囲の歯との間の高コントラストを実証するために選択された平面におけるサンプル３Ｄスライスを含む３ＤＩＯイメージングシステムによって生成されるイメージの、いくつかの実施形態を示す別の図である。左側イメージは１５度、右側イメージは３０度の円錐角で撮影された。ｚ面アーチファクトに起因するイメージ欠陥を右側イメージ内に見ることができる。
【図３】[0007]３ＤＩＯイメージングシステムにおけるいくつかのコンポーネントのジオメトリの、いくつかの実施形態を示す図である。
【図４】[0007]３ＤＩＯイメージングシステムにおけるいくつかのコンポーネントのジオメトリの、いくつかの実施形態を示す図である。
【図５】[0008]３ＤＩＯイメージングシステムにおけるＸ線源の動きの、いくつかの実施形態を示す図である。
【図６】[0008]３ＤＩＯイメージングシステムにおけるＸ線源の動きの、いくつかの実施形態を示す図である。
【図７】[0009]歯科医院内の機器に搭載された３ＤＩＯイメージングシステムの、いくつかの実施形態を示す図である。
【図８】[0009]歯科医院内の機器に搭載された３ＤＩＯイメージングシステムの、いくつかの実施形態を示す図である。
【図９】[0010]３ＤＩＯイメージングシステムのハウジング及びハウジング内に格納されたコンポーネントの、いくつかの実施形態を示す図である。
【図１０】[0011]３ＤＩＯイメージングシステムのハウジング内において複数のＸ線源を使用する、いくつかの実施形態を示す図である。
【図１１】[0012]３ＤＩＯイメージングシステムの更に他の実施形態を示す図である。
【手続補正２】
【補正対象書類名】明細書
【補正対象項目名】００１６
【補正方法】変更
【補正の内容】
【００１６】
[0019]  ３ＤＩＯシステムのいくつかの実施形態は、図１から図１１に示されている。図１は、回転軸の周囲のポイントＡ及びポイントＢにおける放射源を用いて示される回転スキームを有する３ＤＩＯシステムのジオメトリを示す。図１において、３ＤＩＯシステム１０は、口の内部に、及び患者の歯（又は複数の歯）４０に近接して相対的に定常に配置される、イメージング検出器２０を備える。３ＤＩＯシステム１０は、ハウジング５０内に配置されるＸ線源３０も含む。ハウジング５０は支持アーム６０に接続することができる。
【手続補正３】
【補正対象書類名】明細書
【補正対象項目名】００２２
【補正方法】変更
【補正の内容】
【００２２】
[0025]  図９に詳細に示されるように、Ｘ線源３０はハウジング５０内に収納可能である。ハウジング５０は、図９に示されるように、Ｘ線源３０を封入する第１の部分と共に構成可能である。ハウジング５０は、Ｘ線源３０とパワーエレクトロニクス１９０と他のコンポーネントとのための釣り合いおもり２６０を含み、Ｘ線源３０の平滑で無振動の回転運動を容易にする第２の部分をも封入する。Ｘ線源３０及びその関連付けられたパワーエレクトロニクス１９０と釣り合いおもり２６０とは、Ｘ線源３０とパワーエレクトロニクス１９０と釣り合いおもり２６０と他のコンポーネント（図示せず）とを支持する回転機械式アセンブリ２５０の実質的に反対側に配置される。回転機械式アセンブリ２５０は、機械式アセンブリ２５０の回転駆動を可能とするために、ベアリング及び／又は電気モータアセンブリ２３０を使用して、回転軸２４０を伴う車軸２２０（又機械式アセンブリを支持するための他の機械デバイス）に取り付けられる。
【手続補正４】
【補正対象書類名】明細書
【補正対象項目名】００４１
【補正方法】変更
【補正の内容】
【００４１】
[0044]  図３から図４に示されるように、３ＤＩＯシステムは、幾何学的較正機構を含むように修正することもできる。いくつかの構成において、較正機構は、基準マーカとして歯の特徴を使用する。他の構成において、幾何学的較正は、基準マーカに対立するものとして、較正のためにイメージデータを使用することができる。図３は、検出器２０が、歯４０に実質的に平行であり、かつ、位置Ａから位置ＢへのＸ線源３０の回転軸に実質的に垂直である、理想的なジオメトリを示す。Ｘ線源３０からのＸ線ビームは、検出器２０の中心にある回転中心に配置された回転軸から角度θで歯４０に衝突する。図４は、Ｘ線源３０のアライメントが歯４０又は検出器２０に対して完全でない実世界の例を示す。図４においては、回転中心が検出器２０上の中心ではない。（検出器２０に垂直な）軸は、回転軸から角度βでアライメントされている。図４においては、歯４０及び検出器２０に対する回転軸のアライメント及び回転中心の配置は、較正技法を使用して決定されなければならない。
【手続補正５】
【補正対象書類名】明細書
【補正対象項目名】００５０
【補正方法】変更
【補正の内容】
【００５０】
[0053]  Ｘ線源は、図５から図６に示されるように、患者の頬の後ろに配置された検出器２０にほぼ平行な平面内に配置された円上で、約０度から約３６０度までの角度の任意の増分周辺で移動する（回転する）ことが可能である。その角度θは任意であり、最良のイメージ品質を提供することに基づいて、０°付近から１８０°付近までの値を取ることができる。この実施形態では、ハウジング５０は、機械の仕組みが見えないように隠すとともに、Ｘ線源とモータとＸ線源が軸８０の周囲を回転できるようにする他の要素とを支持する機械構造の一部となる。図５及び図６においては、Ｘ線源が患者の頭部の周囲を水平に回転するＣＢＣＴプロセスとは異なり、Ｘ線源３０は、歯４０の縦軸にほぼ平行であり、患者の頭部の一方の側のみに配置された、平面内の円内を回転する。検出器２０は、歯の背後に固定され、いくつかの構成では歯の縦軸にほぼ平行である。したがって、機械式ガントリー７０を使用して検出器の平面にほぼ平行な平面内でＸ線源自体が回転するように、Ｘ線源３０は、検出器２０の平面とほぼ垂直な回転軸８０の周辺を回転することができる。図６に示されるように、Ｘ線源３０は、回転速度Ｖで回転軸８０の周囲を回転するが、必ずしも一定ではない。角度９５は、円の周囲に均等に分散されるイメージ獲得点（“Ｘ”）間の角度変位を示している。任意数のイメージを撮ることができる。イメージ獲得点の各々の位置は、円を、等しいセグメントの数で割ることによって決定される。Ｘ線源３０は、イメージ獲得のために物理的には停止しないが、各イメージ獲得点でパルスが発せられる。回転軸８０は検出器２０の中心に配置されることができ、好ましくは検出器法線に対して垂直である。しかし、これを実際に完璧に達成することは困難であるため、再構築アルゴリズムが、品質の再構築を可能にするために、補正方法を組み込むことができる。実際には、Ｘ線源３０は、患者の歯が垂直方向を向いている場合、実質的に垂直なその平面内で０度から３６０度の範囲内の円弧の任意の部分を介して回転可能である。したがって、本明細書で説明する３ＤＩＯシステムを使用して、オペレータは、考えられる限りでは、Ｘ及びＹのデカルト座標ではなく、シータ及びファイの極座標内で位置を変更することによって、平行面内の任意の位置から２Ｄイメージを撮ることができる。代替として、この同じ位置のセットを、半径Ｒ及び角度シータからなる平面内の円座標を使用して記述することができる。したがって、３ＤＩＯシステムは、放射源が検出器の表面に対して垂直な平面内で限定された弧内を移動する、マンモグラフィ又は胸部Ｘ線のための従来のトモシンセシスとは異なる。